【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
面付け設定についてのユーザによる操作入力を受け付ける受け付け手段と、
前記受け付け手段により受け付けられた面付け設定に基づいて、複数の論理ページが１物理ページに面付けされた１ｉｎ１の画像を生成する生成手段と、
前記生成手段により生成された前記画像については、予め設定されている面付け設定の制限に関わらず出力する出力手段と、を有することを特徴とする画像形成システム。
【請求項２】
前記生成手段により生成された前記画像の生成元を特定する情報を生成する第２の生成手段と、
前記第２の生成手段により生成された情報により特定される画像の生成元が、予め登録されているものと一致していることを確認する確認手段とを有し、
前記出力手段は、前記確認手段により、前記第２の生成手段により生成された情報により特定される画像の生成元が、予め登録されているものと一致していることが確認されると、前記面付け設定の制限に関わらず、前記生成手段により生成された前記画像を出力することを特徴とする請求項１に記載の画像形成システム。
【請求項３】
前記面付け設定の制限を示す設定制限情報を取得する取得手段と、
前記設定制限情報に基づいて、前記生成手段により生成された前記画像が、前記面付け設定の制限を満たす画像であるか否かを判定する判定手段と、を有し、
前記第２の生成手段は、前記判定手段により、前記生成手段により生成された前記画像が、前記面付け設定の制限を満たす画像でないと判定されると、前記生成手段により生成された前記画像の生成元を特定する情報を生成することを特徴とする請求項２に記載の画像形成システム。
【請求項４】
前記判定手段により、前記生成手段により生成された前記画像が、前記面付け設定の制限を満たす画像であると判定されると、前記複数の論理ページの夫々の画像を生成する第３の生成手段を有し、
前記出力手段は、前記生成手段により生成された前記画像の代わりに前記第３の生成手段により生成された前記画像と、前記受け付け手段により受け付けられた面付け設定とに基づいて、面付けされた画像を出力することを特徴とする請求項３に記載の画像形成システム。
【請求項５】
前記面付け設定の制限を示す設定制限情報を取得する取得手段と、
前記設定制限情報に基づいて、前記生成手段により生成された前記画像が、前記面付け設定の制限を満たす画像であるか否かを判定する判定手段と、
前記判定手段により、前記生成手段により生成された前記画像が、前記面付け設定の制限を満たす画像でないと判定されると、前記生成手段により生成された前記画像を削除すると共に、前記複数の論理ページの夫々の画像を生成する第２の生成手段と、を有し、
前記出力手段は、前記生成手段により生成された前記画像の代わりに、前記第２の生成手段により生成された前記画像と、前記受け付け手段により受け付けられた面付け設定とに基づいて、面付けされた画像を出力することを特徴とする請求項１に記載の画像形成システム。
【請求項６】
前記面付け設定の制限を示す設定制限情報を取得する取得手段と、
前記受け付け手段により受け付けられた面付け設定に基づいて、複数の論理ページが１物理ページに面付けされた１ｉｎ１の画像が生成されると仮定したときに、当該画像が、前記面付け設定の制限を満たす画像であるか否かを判定する判定手段と、を有し、
前記生成手段は、前記判定手段により、複数の論理ページが１物理ページに面付けされた１ｉｎ１の画像が生成されると仮定したときに、当該画像が、前記面付け設定の制限を満たす画像であると判定された場合に、前記受け付け手段により受け付けられた面付け設定に基づいて、複数の論理ページが１物理ページに面付けされた画像を生成し、そうでない場合に、当該画像を生成しないことを特徴とする請求項１に記載の画像形成システム。
【請求項７】
前記取得手段により取得された設定制限情報に基づいて、前記受け付け手段により受け付けられた面付け設定が、前記面付け設定の制限を満たすか否かを判定する第２の判定手段と、
前記第２の判定手段により、前記受け付け手段により受け付けられた面付け設定が、前記面付け設定の制限を満たしていないと判定されると、当該制限を満たすように当該面付け設定を変更し、前記生成手段により生成された前記画像を、当該変更した面付け設定に基づく画像に変更する変更手段と、を有し、
前記出力手段は、前記生成手段により生成された前記画像の代わりに、前記変更手段により変更された前記画像を出力し、
前記判定手段は、前記第２の判定手段により、前記受け付け手段により受け付けられた面付け設定が、前記面付け設定の制限を満たしていると判定されると、前記判定を行うことを特徴とする請求項３〜６の何れか１項に記載の画像形成システム。
【請求項８】
前記生成手段により生成された前記画像のレイアウトの解析結果に基づいて、当該画像に対して行われた面付けの設定を推定する推定手段と、
前記推定手段により推定された面付け設定が、予め登録されている面付け設定の制限を満たすか否かを判定する判定手段と、を有し、
前記出力手段は、前記判定手段により、前記推定手段により推定された面付け設定が、予め登録されている面付け設定の制限を満たすと判定されると、前記生成手段により生成された前記画像を出力することを特徴とする請求項１に記載の画像形成システム。
【請求項９】
面付け設定についてのユーザによる操作入力を受け付ける受け付け工程と、
前記受け付け工程により受け付けられた面付け設定に基づいて、複数の論理ページが１物理ページに面付けされた１ｉｎ１の画像を生成する生成工程と、
前記生成工程により生成された前記画像については、予め設定されている面付け設定の制限に関わらず出力する出力工程と、をコンピュータに実行させることを特徴とするコンピュータプログラム。
【請求項１０】
前記生成工程により生成された前記画像の生成元を特定する情報を生成する第２の生成工程と、
前記第２の生成工程により生成された情報により特定される画像の生成元が、予め登録されているものと一致していることを確認する確認工程と、を更にコンピュータに実行させ、
前記出力工程は、前記確認工程により、前記第２の生成工程により生成された情報により特定される画像の生成元が、予め登録されているものと一致していることが確認されると、前記面付け設定の制限に関わらず、前記生成工程により生成された前記画像を出力することを特徴とする請求項９に記載のコンピュータプログラム。
【請求項１１】
前記面付け設定の制限を示す設定制限情報を取得する取得工程と、
前記設定制限情報に基づいて、前記生成工程により生成された前記画像が、前記面付け設定の制限を満たす画像であるか否かを判定する判定工程と、を更にコンピュータに実行させ、
前記第２の生成工程は、前記判定工程により、前記生成工程により生成された前記画像が、前記面付け設定の制限を満たす画像でないと判定されると、前記生成工程により生成された前記画像の生成元を特定する情報を生成することを特徴とする請求項１０に記載のコンピュータプログラム。
【請求項１２】
前記判定工程により、前記生成工程により生成された前記画像が、前記面付け設定の制限を満たす画像であると判定されると、前記複数の論理ページの夫々の画像を生成する第３の生成工程を更にコンピュータに実行させ、
前記出力工程は、前記生成工程により生成された前記画像の代わりに前記第３の生成工程により生成された前記画像と、前記受け付け工程により受け付けられた面付け設定とに基づいて、面付けされた画像を出力することを特徴とする請求項１１に記載のコンピュータプログラム。
【請求項１３】
前記面付け設定の制限を示す設定制限情報を取得する取得工程と、
前記設定制限情報に基づいて、前記生成工程により生成された前記画像が、前記面付け設定の制限を満たす画像であるか否かを判定する判定工程と、
前記判定工程により、前記生成工程により生成された前記画像が、前記面付け設定の制限を満たす画像でないと判定されると、前記生成工程により生成された前記画像を削除すると共に、前記複数の論理ページの夫々の画像を生成する第２の生成工程と、を更にコンピュータに実行させ、
前記出力工程は、前記生成工程により生成された前記画像の代わりに、前記第２の生成工程により生成された前記画像と、前記受け付け工程により受け付けられた面付け設定とに基づいて、面付けされた画像を出力することを特徴とする請求項９に記載のコンピュータプログラム。
【請求項１４】
前記面付け設定の制限を示す設定制限情報を取得する取得工程と、
前記受け付け工程により受け付けられた面付け設定に基づいて、複数の論理ページが１物理ページに面付けされた１ｉｎ１の画像が生成されると仮定したときに、当該画像が、前記面付け設定の制限を満たす画像であるか否かを判定する判定工程と、を更にコンピュータに実行させ、
前記生成工程は、前記判定工程により、複数の論理ページが１物理ページに面付けされた１ｉｎ１の画像が生成されると仮定したときに、当該画像が、前記面付け設定の制限を満たす画像であると判定された場合に、前記受け付け工程により受け付けられた面付け設定に基づいて、複数の論理ページが１物理ページに面付けされた画像を生成し、そうでない場合に、当該画像を生成しないことを特徴とする請求項９に記載のコンピュータプログラム。
【請求項１５】
前記取得工程により取得された設定制限情報に基づいて、前記受け付け工程により受け付けられた面付け設定が、前記面付け設定の制限を満たすか否かを判定する第２の判定工程と、
前記第２の判定工程により、前記受け付け工程により受け付けられた面付け設定が、前記面付け設定の制限を満たしていないと判定されると、当該制限を満たすように当該面付け設定を変更し、前記生成工程により生成された前記画像を、当該変更した面付け設定に基づく画像に変更する変更工程と、を更にコンピュータに実行させ、
前記出力工程は、前記生成工程により生成された前記画像の代わりに、前記変更工程により変更された前記画像を出力し、
前記判定工程は、前記第２の判定工程により、前記受け付け工程により受け付けられた面付け設定が、前記面付け設定の制限を満たしていると判定されると、前記判定を行うことを特徴とする請求項１１〜１４の何れか１項に記載のコンピュータプログラム。
【請求項１６】
前記生成工程により生成された前記画像のレイアウトの解析結果に基づいて、当該画像に対して行われた面付けの設定を推定する推定工程と、
前記推定工程により推定された面付け設定が、予め登録されている面付け設定の制限を満たすか否かを判定する判定工程と、を更にコンピュータに実行させ、
前記出力工程は、前記判定工程により、前記推定工程により推定された面付け設定が、予め登録されている面付け設定の制限を満たすと判定されると、前記生成工程により生成された前記画像を出力することを特徴とする請求項９に記載のコンピュータプログラム。
【請求項１７】
面付け設定についてのユーザによる操作入力を受け付ける受け付け工程と、
前記受け付け工程により受け付けられた面付け設定に基づいて、複数の論理ページが１物理ページに面付けされた１ｉｎ１の画像を生成する生成工程と、
前記生成工程により生成された前記画像については、予め設定されている面付け設定の制限に関わらず出力する出力工程と、を有することを特徴とする制御方法。
【手続補正２】
【補正対象書類名】明細書
【補正対象項目名】発明の名称
【補正方法】変更
【補正の内容】
【発明の名称】画像形成システム、コンピュータプログラム、及び制御方法
【手続補正３】
【補正対象書類名】明細書
【補正対象項目名】０００１
【補正方法】変更
【補正の内容】
【０００１】
本発明は、画像形成システム、コンピュータプログラム、及び制御方法に関し、特に、画像の面付けを行うために用いて好適なものである。
【手続補正４】
【補正対象書類名】明細書
【補正対象項目名】０００７
【補正方法】変更
【補正の内容】
【０００７】
本発明の画像形成システムは、面付け設定についてのユーザによる操作入力を受け付ける受け付け手段と、前記受け付け手段により受け付けられた面付け設定に基づいて、複数の論理ページが１物理ページに面付けされた１ｉｎ１の画像を生成する生成手段と、前記生成手段により生成された前記画像については、予め設定されている面付け設定の制限に関わらず出力する出力手段と、を有することを特徴とする。
【手続補正５】
【補正対象書類名】明細書
【補正対象項目名】０００８
【補正方法】変更
【補正の内容】
【０００８】
本発明によれば、複数の論理ページが１物理ページに面付けされた１ｉｎ１の画像を面付け設定の制限に関わらず出力する。したがって、ユーザが制限の範囲内で面付け設定を行っているのにも関わらず、ユーザの意図通りに画像が出力されないことを従来よりも確実に防止することができる。